(57)【要約】【課題】簡単な動作で投薬を行うことが可能であり、お湯や水を容易に収容することができる投薬用容器を提供する。【解決手段】投薬用容器１は、ファスナー８によって開閉可能な開口部４と、薬剤と液体とを混合した薬液を収容可能な薬液収容部６と、薬液収容部６に収容された薬液を排出可能なノズル１１を有する排出部７とを備えている。排出部７は開口部４に隣接して設けられている。ノズル１１は薬液収容部６に最大許容量の薬液を収容したときの液位より上方に位置する。開口部４は、薬液収容部６の幅より小さい幅を有する。排出部７は、開口部４の一端の第１縁部２ａと薬液収容部６の一端の第２縁部２ｂとを接続する第３縁部２ｃに設けられている。薬液収容部６の底にマチ１０が設けられている。【選択図】図１
0003223676.tif 000002
【実用新案登録請求の範囲】
【請求項１】
ファスナーによって開閉可能な開口部と、
薬剤と液体とを混合した薬液を収容可能な薬液収容部と、
前記薬液収容部に収容された薬液を排出可能なノズルを有する排出部とを備え、
前記排出部は前記開口部に隣接して設けられ、前記ノズルは前記薬液収容部に最大許容量の薬液を収容したときの液位より上方に位置することを特徴とする投薬用容器。
【請求項２】
前記開口部は、前記薬液収容部の幅より小さい幅を有し、
前記排出部は、前記開口部の一端の第１縁部と前記薬液収容部の一端の第２縁部とを接続する第３縁部に設けられていることを特徴とする請求項１に記載の投薬用容器。
【請求項３】
前記第３縁部は、前記薬液収容部の縦方向中心線に対して傾斜する方向に延び、前記ノズルは、前記薬液収容部の縦方向中心線に対して傾斜して設けられていることを特徴とする請求項２に記載の投薬用容器。
【請求項４】
前記第３縁部は、前記薬液収容部の縦方向中心線に対して直角な方向に延び、前記ノズルは、前記薬液収容部の縦方向中心線に平行に設けられていることを特徴とする請求項２に記載の投薬用容器。
【請求項５】
前記第３縁部は、前記薬液収容部の縦方向中心線に対して平行な方向に延び、前記ノズルは、前記薬液収容部の縦方向中心線に直角に設けられていることを特徴とする請求項２に記載の投薬用容器。
【請求項６】
前記薬液収容部の底にマチが設けられていることを特徴とする請求項１から５のいずれかに記載の投薬用容器。
【請求項７】
前記ノズルは、
前記薬液収容部の内部と連通する貫通孔を有し、前記排出部に取り付けられる基部と、
前記基部に一体に形成され、前記基部の貫通孔に連通する円筒形状を有し、外周面に雄ねじが形成された雌コネクタとを備えていることを特徴とする請求項１から６のいずれかに記載の投薬用容器。
【請求項８】
前記薬液収容部の外面にポケットが設けられていることを特徴とする請求項１から７のいずれかに記載の投薬用容器。
【考案の詳細な説明】
【技術分野】
【０００１】
本考案は、投薬用容器に関する。
【背景技術】
【０００２】
嚥下障害等により口から栄養が取れない患者の場合、経鼻胃管、胃瘻、腸瘻等の経管栄養補給法が行われている。このような経管栄養補給法では、ボトルやバッグ（以下、「投薬用容器」という）に栄養剤を入れ、チューブを介して胃や腸に注入する。投薬用容器には、排出部にノズルが設けられ、該ノズルにチューブが接続される。
【０００３】
従来、投薬用容器として種々提案されている。例えば、特許文献１には、入口開閉部を有する収容部と、入口開閉部と反対側にノズルを有する排出部とを備え、収容部と排出部との境界部分を閉塞する閉塞部をさらに備えた投薬用容器が記載されている。この投薬用容器では、入口開閉部を開いて収容部に薬剤と液体を収容し、薬剤を崩壊、懸濁させて、収容部に力を加えて閉塞部を開き、収容部内の薬剤と液体の混合物を排出部のノズルを経てチューブに流出して患者に投薬することができる。
【０００４】
しかし、この投薬用容器は、薬剤を崩壊懸濁させた後、収容部を押して閉塞部を開くという煩雑な動作をする必要があった。また、投薬用容器で１回目の投薬を終えた後、２回目の投薬をする場合、１回目の投薬用容器は閉塞部が既に破れて開放されているため、使用済の投薬用容器は廃棄し、新たな投薬用容器を用いる必要があった。また、１回目の投薬の後、１回目の投薬用容器をそのまま用いて洗浄用のお湯又は水を注入する場合、入口開閉部を開いて収容部にお湯又は水を収容することになるが、お湯又は水が入口開閉部からこぼれないように、投薬用容器を保持したまま入口開閉部を開いた状態にしておかなければなないため、作業が容易でないという問題があった。
【先行技術文献】
【特許文献】
【０００５】
【特許文献１】特許第５８７３４８３号明細書
【考案の概要】
【考案が解決しようとする課題】
【０００６】
本考案は、斯かる従来の問題点に鑑みてなされたもので、簡単な動作で患者への投薬を行うことが可能であり、お湯や水を容易に収容することができる投薬用容器を提供することを課題とする。
【課題を解決するための手段】
【０００７】
前記課題を解決するための手段として、本考案の投薬用容器は、
ファスナーによって開閉可能な開口部と、
薬剤と液体とを混合した薬液を収容可能な薬液収容部と、
前記薬液収容部に収容された薬液を排出可能なノズルを有する排出部とを備え、
前記排出部は前記開口部に隣接して設けられ、前記ノズルは前記薬液収容部に最大許容量の薬液を収容したときの液位より上方に位置する。
【０００８】
前記開口部は、前記薬液収容部の幅より小さい幅を有し、
前記排出部は、前記開口部の一端の第１縁部と前記薬液収容部の一端の第２縁部とを接続する第３縁部に設けられている。
【０００９】
前記第３縁部は、前記薬液収容部の縦方向中心線に対して傾斜する方向に延び、前記ノズルは、前記薬液収容部の縦方向中心線に対して傾斜して設けられている。
【００１０】
前記第３縁部は、前記薬液収容部の縦方向中心線に対して直角な方向に延び、前記ノズルは、前記薬液収容部の縦方向中心線に平行に設けられていてもよい。
【００１１】
前記第３縁部は、前記薬液収容部の縦方向中心線に対して平行な方向に延び、前記ノズルは、前記薬液収容部の縦方向中心線に直角に設けられていてもよい。
【００１２】
前記薬液収容部の底にマチが設けられていることが好ましい。
【００１３】
前記ノズルは、
前記薬液収容部の内部と連通する貫通孔を有し、前記排出部に取り付けられる基部と、
前記基部に一体に形成され、前記基部の貫通孔に連通する円筒形状を有し、外周面に雄ねじが形成された雌コネクタとを備えている。
【００１４】
前記薬液収容部の外面にポケットが設けられていることが好ましい。
【考案の効果】
【００１５】
本考案によれば、排出部のノズルをキャップ等で閉鎖してから、開口部を開いて温湯と薬剤を入れて溶解又は懸濁させた後、投薬用容器を傾けるだけで簡単に溶解又は懸濁した薬剤をノズルからチューブを介して患者に投与することができる。投薬後、必要な時期に、開口部を開いて同一の手順により、別の薬剤を投与したり、洗浄用のお湯を注入することができ、１個で種々の役割を果たすことができる。
【００１６】
また、本考案によれば、薬液収容部の底にマチが設けられているので、薬液収容部にお湯や水を入れると、マチが開いて底が拡がり、投薬用容器が自立する。このため、開口部を開いた状態にして投薬用容器を保持しなくてもお湯や水を容易に入れることができる。
【図面の簡単な説明】
【００１７】
【図１】本考案の第１実施形態に係る投薬用容器の正面図。
【図２】図１の投薬用容器のシートの接着前の状態を示す斜視図。
【図３】図１のIII-III線拡大断面図。
【図４】ノズルの内端面から見た平面図（ａ）、ノズルの縦断面図（ｂ）、及び雄コネクタの縦断面図（ｃ）。
【図５】投薬用容器に温湯と薬剤を収容した状況を示す側面図。
【図６】投薬用容器に収容した薬剤が溶解又は懸濁し、ノズルにチューブを取り付ける状況を示す正面図。
【図７】投薬用容器に収容した薬液をチューブを介して患者に投与する状況を示す正面図。
【図８】本考案の投薬用容器の変形例を示す正面図。
【図９】本考案の投薬用容器の他の変形例を示す正面図。
【図１０】薬液収容部にポケットを設けた本考案の第２実施形態に係る投薬用容器の正面図。
【図１１】図１０の投薬用容器のポケット及びシートの接着前の状態を示す斜視図。
【考案を実施するための形態】
【００１８】
以下、本考案の実施形態を添付図面に従って説明する。
【００１９】
図１は、本考案の第１実施形態に係る投薬用容器１を示す。投薬用容器１は、図２に示すように、無色透明、半透明又は有色透明でポリエチレン等の軟質の合成樹脂からなる１枚のシート１ａを折り重ねて左側縁部２と右側縁部３を互いに接着して、図１に示すように、上端の開口部４と、下端の底部５と、薬液収容部６と、排出部７とを形成したものである。
【００２０】
左側縁部２は、開口部４の左端を形成する第１左側縁部２ａと、薬液収容部６の左端を形成する第２左側縁部２ｂと、第１左側縁部２ａの下端と第２左側縁部２ｂの上端を接続する第３左側縁部２ｃとからなっている。第３左側縁部２ｃの幅は、第１左側縁部２ａと第２左側縁部２ｂの幅より幅広に形成されている。第１左側縁部２ａと第２左側縁部２ｂは、薬液収容部６の縦方向中心線Ｃに対して平行である。第３左側縁部２ｃは、薬液収容部６の縦方向中心線Ｃに対して傾斜し、図１の実施形態では薬液収容部６の縦方向中心線Ｃに対して４５°傾斜しているが、４５°に限るものではない。
【００２１】
右側縁部３は、開口部４の上端から薬液収容部６の下端まで直線状に延びている。右側縁部３も、左側縁部２と対称になるように、第１右側縁部と、第２右側縁部と、第３右側縁部とからなるようにしてもよい。
【００２２】
開口部４は、薬液収容部６の幅より小さい幅を有する。開口部４の内側には、図３に示すように、突条を有するチャックテープ８ａと、該チャックテープ８ａの突条に液密に嵌合する溝を有するチャックテープ８ｂとからなる周知のファスナー８が設けられ、開口部４を開閉可能にしている。ファスナー８は、開口部から薬液収容部６に向かって２つ設けられているが、１つでもよい。開口部４を構成する手前側のシート１ａの上端は奥側のシート１ａの上端より低く形成され、開口部４の開閉を容易にしている。開口部４のファスナー８より上方には、吊り孔９が形成されている。
【００２３】
底部５は、図２に示すように、１枚のシート１ａを折り重ねる際に、側方からみてＷ形に３つの折部５ａ、５ｂ、５ｃで折り返すことにより、マチ１０が形成されている。
【００２４】
薬液収容部６は、底部５のマチ１０が開くことで所定容量の温湯と薬剤を収容可能な大きさに膨らむようになっている。薬液収容部６には、患者の胃や腸の大きさに応じて最大許容量の薬液を収容できる。
【００２５】
排出部７は、第３左側縁部２ｃに設けられ、開口部４に隣接した位置に設けられている。排出部７は、第３左側縁部２ｃに挟まれ、接着されたノズル１１を有する。ノズル１１は、縦方向中心線Ｃに対して角度θだけ傾斜している。図１の実施形態では角度θは４５°であるが、これに限るものではない。ノズル１１の高さは、薬液収容部６に最大許容量の水又は温湯を入れた時の液位より上方にあることが好ましい。
【００２６】
図４は、排出部７のノズル１１を示し、このノズル１１は、ポリエチレン等の合成樹脂で形成されている。ノズル１１は、投薬用容器１の第３左側縁部２ｃに取り付けられる基部１２と、投薬用容器１の外方に突出する雌コネクタ１３とが一体に形成されたものである。
【００２７】
ノズル１１の基部１２は、図４（ａ）に示すように、横断面が菱形で、対向する鈍角の角部が円弧で形成されている。基部１２には、雌コネクタ１３の内部と連通する貫通孔１４が形成されている。基部１２は、投薬用容器１の薬液収容部６に臨む内端面１５を有している。
【００２８】
ノズル１１の雌コネクタ１３は、図４（ｂ）に示すように、基部１２の貫通孔１４に連通する円筒形状を有し、外周面に雄ねじ１６が形成されている。雌コネクタ１３には、図４（ｃ）に示すように、経鼻胃管、又は胃瘻や腸瘻のカテーテルに接続されたチューブ（以下、単に「チューブ」という）１７の雄コネクタ１８がねじ込んで装着される。雄コネクタ１８は、雌コネクタ１３に挿入される円筒部１９と、雌コネクタ１３の雄ねじ１６に螺合する雌ねじ２０が形成された外筒部２１とからなる。雌コネクタ１３と雄コネクタ１８は、ＩＳＯ８０３６９−３に規定された寸法を有する。
【００２９】
次に、投薬用容器１を使用して簡易懸濁法により投薬を行う場合における作用を説明する。
【００３０】
図５，図６に示すように、投薬用容器１の排出部７のノズル１１にキャップ２２を取り付けて閉鎖した後、投薬用容器１のファスナー８を開き、開口部４を広げて、患者の投薬に必要なカプセル剤や錠剤等の薬剤Ｍと、常温の水Ｗまたは５５℃の温湯を入れて、ファスナー８を閉じる。この状態で、投薬用容器１を所定時間放置し、薬剤を崩壊、懸濁させる。必要に応じて、投薬用容器１を振ったり、外側から外力を加えて薬剤を崩壊させてもよい。ノズル１１は、キャップ２２で閉鎖されているので、投薬用容器１の薬液収容部６内の薬剤と温湯の懸濁した薬液Ｍｗが外部に漏れることはない。投薬用容器１は、薬液収容部６に収容された温湯により、底部５のマチ１０が開いて、自立可能である。
【００３１】
懸濁中は、投薬用容器１をテーブル等に自立させておいてもよいが、ノズル１１を上にして、投薬用容器１の吊り孔９を図示しないスタンドのフックに掛けて吊るしてもよい。常温の水で懸濁した場合は、人の体温近くまで加温してもよい。
【００３２】
投薬用容器１内の薬剤と温湯の懸濁した薬液Ｍｗが体温に近い温度になると、投薬用容器１のノズル１１の雌コネクタ１３にチューブ１７の雄コネクタ１８を接続する。
【００３３】
続いて、図７に示すように、投薬用容器１をノズル１１が下を向くように傾けることにより、投薬用容器１の薬液収容部６の溶解又は懸濁した薬液Ｍｗがチューブ１７を介して患者の胃や腸に投与される。
【００３４】
薬液Ｍｗの投与が終わると、チューブ１７の雄コネクタ１８を外し、投薬用容器１をテーブルに立てて置くか、スタンドのフックに掛けて吊るしておく。
【００３５】
投薬用容器１は投薬毎に廃棄してもよいが、本考案の投薬用容器１は２回目以降の投薬時や、お湯の注入時に再使用することが可能である。
【００３６】
すなわち、１回目の投薬後に、投薬用容器１をテーブルに置く。ここで、投薬用容器１の底部５は既にマチ１０が開いているので、自立する。この状態で、開口部４のファスナー８を開いて内部にお湯を収容する。投薬用容器１は、自立しているので、開口部４を開いた状態にして投薬用容器１を保持しなくても、お湯や水を容易に入れることができる。
【００３７】
続いて、投薬用容器１をノズル１１が下を向くように傾けることにより、投薬用容器１のお湯をチューブ１７を介して患者の胃や腸に注入する。これにより、投薬用容器１、ノズル１１、チューブ１７が洗浄される。洗浄後は、チューブ１７の雄コネクタ１８を外し、投薬用容器１をテーブルに立てて置くか、スタンドのフックに掛けて吊るしておく。
【００３８】
２回目以降の投薬に際しては、１回目と同様に、排出部７のノズル１１にキャップを取り付けて、投薬用容器１のファスナー８を開き、開口部４を広げて、薬剤Ｍと水Ｗまたは温湯を入れて、患者に投与することができる。このように、１日３回程度は、再使用することができる。
【００３９】
図８は、第１実施形態の第１の変形例であり、投薬用容器１の第３側縁部２ｃを、薬液収容部６の縦方向中心線Ｃに対して直角に延びるように設けて、ノズル１１を薬液収容部６の縦方向中心線Ｃと平行になるように設けたものである。
【００４０】
図９は、第１実施形態の第２の変形例であり、投薬用容器１の第３側縁部２ｃを、薬液収容部６の縦方向中心線Ｃに対して平行に延びるように設けて、ノズル１１を薬液収容部６の縦方向中心線Ｃと直角になるように設けたものである。
【００４１】
図１０は、本考案の第２実施形態に係る投薬用容器１を示す。この投薬用容器１は、薬液収容部６の外面にポケット２３が設けられた以外は、前記第１実施形態の投薬用容器１と同一の構成を有するので、対応する部分には同一符号を附して説明を省略する。
【００４２】
ポケット２３は、図１１に示すように、投薬用容器１と同様の無色透明、半透明又は有色透明でポリエチレン等の軟質の合成樹脂からなる矩形のシート１ｂを、投薬用容器１の左側縁部２と右側縁部３を接着するときに、ノズル１１が開口部４の左に位置する投薬用容器１の表面に、左側縁部２３ａと、右側縁部２３ｂと、下側縁部２３ｃをそれぞれ投薬用容器１の左側縁部２、右側縁部３、底部５に接着する。
【００４３】
ポケット２３には、図１０に示すように、薬液収容部１に収容する薬剤の名称や患者名等を記載したメモ２４等を収容することで、現在服用中の薬剤の名称を確認することができる。
【００４４】
本考案は以上の実施形態に限らず、実用新案登録請求の範囲に記載した考案の範囲内で種々変更することができる。
【００４５】
例えば、前記実施形態の投薬用容器１は、１枚のシート１ａで形成したが、２枚のシートと、マチとなる底用のシートとを重ねて接合してもよい。
【符号の説明】
【００４６】
１…投薬用容器
１ａ…シート
２…左側縁部
２ａ…第１左側縁部
２ｂ…第２左側縁部
２ｃ…第３左側縁部
３…右側縁部
４…開口部
５…底部
６…薬液収容部
７…排出部
８…ファスナー
９…吊り孔
１０…マチ
１１…ノズル
１２…基部
１３…雌コネクタ
１４…貫通孔
１６…雄ねじ
１８…雄コネクタ
２０…雌ねじ
２３…ポケット
【図１】
0003223676.tif 000003
【図２】
0003223676.tif 000004
【図３】
0003223676.tif 000005
【図４】
0003223676.tif 000006
【図５】
0003223676.tif 000007
【図６】
0003223676.tif 000008
【図７】
0003223676.tif 000009
【図８】
0003223676.tif 000010
【図９】
0003223676.tif 000011
【図１０】
0003223676.tif 000012
【図１１】
0003223676.tif 000013